(57)【要約】  ディスプレイ装置は、情報を表示するディスプレイスクリーンと、ディスプレイスクリーン上の表示のために情報を格納するメモリと、ディスプレイ装置の運動を検出する運動検出構成と、ディスプレイスクリーン上の情報の表示を制御し、運動検出構成によって検出される運動に応答して、ディスプレイスクリーンを制御して、ディスプレイスクリーン上に表示される情報の少なくとも一部を消去するようにプログラムされる、プロセッサとを含み、運動検出構成は、複数の運動タイプを感知するように構成され、プロセッサは、感知される運動タイプを識別し、識別される運動タイプに依存してディスプレイスクリーン上に表示される情報を選択的に消去するようにプログラムされる。
2021519975.tif 000002
【特許請求の範囲】
【請求項１】
ディスプレイ装置であって、
複数の異なる領域において情報を表示するディスプレイスクリーンと、
該ディスプレイスクリーンの前記異なる領域での表示のために情報を格納するメモリと、
当該ディスプレイ装置の運動を検出する運動検出構成と、
前記異なる領域における前記ディスプレイスクリーン上の前記情報の表示を制御し、前記運動検出構成によって検出される運動に応答して、前記ディスプレイスクリーンを制御して、前記ディスプレイスクリーン上に表示される前記情報の少なくとも一部を消去するようにプログラムされる、プロセッサとを含み、
前記運動検出構成は、複数の運動タイプを検出するように構成され、前記プロセッサは、前記検出される運動タイプを識別し、該識別される運動タイプに依存して異なる領域において前記ディスプレイスクリーン上で表示される情報を選択的に消去するようにプログラムされる、
ディスプレイ装置。
【請求項２】
前記プロセッサは、閾値よりも大きい前記運動検出構成によって検出される震動又は往復運動に応答して、異なる領域において前記ディスプレイスクリーン上に表示される前記情報の少なくとも一部を選択的に消去するようにプログラムされる、請求項１に記載のディスプレイ装置。
【請求項３】
前記プロセッサは、前記メモリ内で前記消去される表示された情報を削除するようにプログラムされる、請求項１又は２に記載のディスプレイ装置。
【請求項４】
前記運動検出構成は、複数の方向において複数の運動パターンを検出するように構成され、前記プロセッサは、前記検出される運動パターンを識別し、該識別される運動パターンに依存して、異なる領域において前記ディスプレイスクリーン上に表示される情報を選択的に消去するようにプログラムされる、請求項１乃至３のうちのいずれか１項に記載のディスプレイ装置。
【請求項５】
ディスプレイ装置であって、
複数のタイプの情報を表示するディスプレイスクリーンと、
該ディスプレイスクリーン上での表示のために情報を格納するメモリと、
当該ディスプレイ装置の運動を検出する運動検出構成と、
前記異なる情報のタイプを表示するよう前記ディスプレイスクリーン上の前記情報の前記表示を制御し、前記運動検出構成によって検出される運動に応答して、前記ディスプレイスクリーン上に表示される前記情報の少なくとも一部を消去するよう前記ディスプレイスクリーンを制御するようにプログラムされる、プロセッサとを含み、
前記運動検出構成は、複数の運動タイプを検出するように構成され、前記プロセッサは、該検出される運動タイプを識別し、該識別される運動タイプに依存して、前記ディスプレイスクリーン上に表示される情報タイプを選択的に消去するようにプログラムされる、
ディスプレイ装置。
【請求項６】
前記プロセッサは、閾値よりも大きい前記運動検出構成によって検出される震動又は往復運動に応答して、前記表示される情報タイプを選択的に消去するようにプログラムされる、請求項５に記載のディスプレイ装置。
【請求項７】
前記プロセッサは、前記メモリ内の前記消去される表示された情報を削除するようにプログラムされる、請求項５又は６に記載のディスプレイ装置。
【請求項８】
前記運動検出構成は、複数の方向において複数の運動パターンを検出するように構成され、前記プロセッサは、前記検出される運動パターンを識別し、該識別される運動パターンに依存して、表示される情報タイプを選択的に消去するようにプログラムされる、請求項５乃至７のうちのいずれか１項に記載のディスプレイ装置。
【請求項９】
表示のための情報の入力のための入力構成を更に含む、請求項１乃至７のうちのいずれか１項に記載のディスプレイ装置。
【請求項１０】
前記入力構成は、ペンデバイスを含み、前記ディスプレイスクリーンは、情報入力のためにタッチセンサ方式である、請求項９に記載のディスプレイ装置。
【請求項１１】
ディスプレイ装置であって、
情報を表示するディスプレイスクリーンと、
運動タイプ及び対応する消去操作の識別を含む運動タイプ消去データと、前記ディスプレイスクリーン上での表示のための情報とを格納する、メモリと、
当該ディスプレイ装置の運動を検出する運動検出構成と、
学習フェーズの間に消去操作を識別するユーザ入力を受信するユーザ入力構成と、
前記学習フェーズにおいて、制御入力を識別するユーザ入力が受信されるときに、前記運動検出構成によって検出される運動から運動タイプを識別し、前記運動タイプ消去データ中の前記運動タイプを識別するデータに対応して、前記受信されるユーザ入力を格納し、前記学習フェーズに続いて、前記運動検出構成が運動を検出するときに、前記運動タイプ消去データを使用して、運動タイプを識別し、前記対応する消去操作を実行して、前記ディスプレイスクリーン上に表示される前記情報の少なくとも一部を消去するようにプログラムされる、プロセッサとを含む、
ディスプレイ装置。
【請求項１２】
前記プロセッサは、前記学習フェーズにおいて、制御操作を識別するユーザ入力が受信されるときに、複数のときに前記運動検出構成から受信される前記検出される運動を平均化することによって前記運動タイプを識別し、前記運動タイプ消去データ中の前記運動タイプを識別するデータに応答して、前記受信されるユーザ入力を格納するようにプログラムされる、請求項１１に記載のディスプレイ装置。
【請求項１３】
前記プロセッサは、前記学習フェーズにおいて、複数のユーザ入力を受信し、各ユーザ入力について前記運動検出構成によって検出される運動から前記運動タイプを識別し、前記運動タイプ消去データ中の前記それぞれの運動タイプを識別するデータに応答して、前記受信されるユーザ入力を格納するようにプログラムされる、請求項１１又は１２に記載のディスプレイ装置。
【請求項１４】
前記プロセッサは、複数の方向において運動の組み合わせを含む複数の運動タイプを識別するようにプログラムされる、請求項１１乃至１３のうちのいずれか１項に記載のディスプレイ装置。
【請求項１５】
前記方向は、横方向及び／又は回転方向のうちの少なくとも１つを含む、請求項１４に記載のディスプレイ装置。
【請求項１６】
前記情報は、複数の領域内に表示され、異なる運動タイプについての前記消去操作は、異なる領域についての消去操作を識別する、請求項１１乃至１５のうちのいずれか１項に記載のディスプレイ装置。
【請求項１７】
前記表示される情報は、複数の異なるタイプの情報を含み、異なる運動タイプについての前記消去操作は、異なるタイプの情報についての消去操作を識別する、請求項１１乃至１５のうちのいずれか１項に記載のディスプレイ装置。
【請求項１８】
ディスプレイスクリーンと、運動を検出する運動検出構成とを有する、ディスプレイ装置を制御する方法であって、
複数の領域において前記ディスプレイスクリーン上に情報を表示すること、
前記ディスプレイ装置の複数の運動タイプを検出すること、及び
該検出される運動タイプに依存して異なる領域において前記ディスプレイスクリーン上に表示される情報を選択的に消去することを含む、
方法。
【請求項１９】
前記異なる領域において前記ディスプレイスクリーン上に表示される前記情報の少なくとも一部が、閾値よりも大きい前記運動検出構成によって検出される震動又は往復運動に応答して選択的に消去される、請求項１８に記載の方法。
【請求項２０】
前記情報は、メモリ内に格納され、該メモリ内の前記消去される表示された情報を削除することを含む、請求項１８又は１９に記載の方法。
【請求項２１】
複数の方向における複数の運動パターンが検出され、前記異なる領域において前記ディスプレイスクリーン上に表示される前記情報は、前記検出されるパターンに依存して選択的に消去される、請求項１８乃至２０のうちのいずれか１項に記載の方法。
【請求項２２】
ディスプレイスクリーンと、運動を検出する運動検出構成とを有する、ディスプレイ装置を制御する方法であって、
前記ディスプレイスクリーン上に複数の異なる情報タイプの情報を表示すること、
前記ディスプレイ装置の複数の運動タイプを検出すること、及び
該検出される運動タイプに依存して前記ディスプレイスクリーン上に表示される情報を選択的に消去することを含む、
方法。
【請求項２３】
前記ディスプレイスクリーン上に表示される前記情報のタイプの少なくとも一部が、閾値よりも大きい前記運動検出構成によって検出される震動又は往復運動に応答して選択的に消去される、請求項２２に記載の方法。
【請求項２４】
前記情報は、メモリ内に格納され、該メモリ内の前記消去される表示された情報を削除することを含む、請求項２２又は２３に記載の方法。
【請求項２５】
複数の方向における複数の運動パターンが検出され、前記ディスプレイスクリーン上に表示される前記情報タイプは、前記検出されるパターンに依存して選択的に消去される、請求項２２乃至２４のうちのいずれか１項に記載の方法。
【請求項２６】
表示のために前記情報の入力を受信することを含む、請求項２２乃至２５のうちのいずれか１項に記載の方法。
【請求項２７】
前記情報は、ペンデバイスによって入力され、前記ディスプレイスクリーンは、情報入力のためにタッチセンサ方式である、請求項２６に記載の方法。
【請求項２８】
前記デバイスの運動を検出する運動検出構成を有するディスプレイ装置を制御する方法であって、
学習フェーズの間に、
消去操作を識別するユーザ入力を受信すること、
前記運動検出構成を用いて前記ディスプレイ装置の運動を検出すること、
前記運動検出構成によって検出される前記運動から運動タイプを識別すること、
前記運動タイプを運動タイプ消去データとして識別するデータに応答して前記受信されるユーザ入力を格納すること、並びに
前記受信すること、前記検出すること、前記識別すること、及び前記格納することを反復することを含み、
操作フェーズの間に、
ディスプレイスクリーン上に情報を表示すること、
前記運動検出構成を用いて前記ディスプレイ装置の運動を検出すること、並びに
運動タイプを識別し、前記対応する消去操作を実行して、前記ディスプレイスクリーン上に表示される前記情報の少なくとも一部を消去するために、前記運動タイプ制御データを用いることを含む、
方法。
【請求項２９】
前記学習フェーズにおいて、消去操作を識別するユーザ入力が受信されるときに、前記運動タイプは、複数のときに前記運動検出構成から受信される前記検出される運動を平均化することによって識別され、前記受信されるユーザ入力は、前記運動タイプ消去データ中の前記運動タイプを識別するデータに応答して格納される、請求項２８に記載の方法。
【請求項３０】
前記運動タイプは、複数の方向における運動の組み合わせを含む、請求項２８又は２９に記載の方法。
【請求項３１】
前記方向は、横方向及び／又は回転方向のうちの少なくとも１つを含む、請求項３０に記載の方法。
【請求項３２】
前記情報は、複数の領域において表示され、異なる運動タイプについての前記消去操作は、異なる領域についての消去操作を識別する、請求項２９乃至３１に記載の方法。
【請求項３３】
前記表示される情報は、複数の異なるタイプの情報を含み、異なる運動タイプについての前記消去操作は、異なるタイプの情報についての消去操作を識別する、請求項９乃至１２に記載の方法。
【請求項３４】
請求項１８乃至３３に記載の方法を実施するようプロセッサによる実行のためのプロセッサ実行可能なコードを担持する、キャリア媒体。
【発明の詳細な説明】
【技術分野】
【０００１】
本発明は、消去可能な情報を表示するためのディスプレイ装置に関する。
【背景技術】
【０００２】
ディスプレイ装置は、携帯電話、タブレットコンピュータデバイス及びラップトップのような、広範囲の持ち運び可能で及び移動可能なデバイスにおいて使用される。持ち運び可能なデバイスの設計者にとっての挑戦は、軽量で、バッテリ効率が良く、使用が便利な、ディスプレイ装置を設計することである。
【発明の概要】
【０００３】
本発明は、ディスプレイ装置であって、複数の異なる領域において情報を表示するディスプレイスクリーンと、ディスプレイスクリーンの異なる領域での表示のために情報を格納するメモリと、当該ディスプレイ装置の運動を検出する運動検出構成と、異なる領域におけるディスプレイスクリーン上の情報の表示を制御し、運動検出構成によって検出される運動に応答して、ディスプレイスクリーンを制御して、ディスプレイスクリーン上に表示される情報の少なくとも一部を消去するようにプログラムされる、プロセッサとを含み、運動検出構成は、複数の運動タイプを検出するように構成され、プロセッサは、検出される運動タイプを識別し、識別される運動タイプに依存して異なる領域においてディスプレイスクリーン上で表示される情報を選択的に消去するようにプログラムされる、ディスプレイ装置を提供する。
【０００４】
本発明は、ディスプレイスクリーンと、運動を検出する運動検出構成とを有する、ディスプレイ装置を制御する方法であって、複数の領域においてディスプレイスクリーン上に情報を表示すること、ディスプレイ装置の複数の運動のタイプを検出すること、及び検出される運動のタイプに依存して異なる領域においてディスプレイスクリーン上に表示される情報を選択的に消去することを含む、方法も提供する。
【０００５】
本発明は、ディスプレイ装置であって、複数のタイプの情報を表示するディスプレイスクリーンと、ディスプレイスクリーン上での表示のために情報を格納するメモリと、当該ディスプレイ装置の運動を検出する運動検出構成と、異なる情報タイプを表示するようディスプレイスクリーン上の情報の表示を制御し、運動検出構成によって検出される運動に応答して、ディスプレイスクリーン上に表示される情報の少なくとも一部を消去するようディスプレイスクリーンを制御するようにプログラムされる、プロセッサとを含み、運動検出構成は、複数の運動タイプを検出するように構成され、プロセッサは、検出される運動タイプを識別し、識別される運動タイプに依存して、ディスプレイスクリーン上に表示される情報タイプを選択的に消去するようにプログラムされる、ディスプレイ装置も提供する。
【０００６】
本発明は、ディスプレイスクリーンと、運動を検出する運動検出構成とを有する、ディスプレイ装置を制御する方法であって、ディスプレイスクリーン上に複数の異なる情報タイプの情報を表示すること、ディスプレイ装置の複数の運動タイプを検出すること、及び検出される運動タイプに依存してディスプレイスクリーン上に表示される情報を選択的に消去することを含む、方法も提供する。
【０００７】
本発明は、ディスプレイ装置であって、情報を表示するディスプレイスクリーンと、運動タイプ及び対応する消去操作の識別を含む運動タイプ消去データと、ディスプレイスクリーン上での表示のための情報とを格納する、メモリと、当該ディスプレイ装置の運動を検出する運動検出構成と、学習フェーズの間に消去操作を識別するユーザ入力を受信するユーザ入力構成と、学習フェーズにおいて、制御入力を識別するユーザ入力が受信されるときに、運動検出構成によって検出される運動から運動タイプを識別し、運動タイプ消去データ中の運動タイプを識別するデータに対応して、受信されるユーザ入力を格納し、学習フェーズに続いて、運動検出構成が運動を検出するときに、運動タイプ消去データを使用して、運動タイプを識別し、対応する消去操作を実行して、ディスプレイスクリーン上に表示される情報の少なくとも一部を消去するようにプログラムされる、プロセッサとを含む、ディスプレイ装置も提供する。
【０００８】
本発明は、デバイスの運動を検出する運動検出構成を有するディスプレイ装置を制御する方法であって、学習フェーズの間に、消去操作を識別するユーザ入力を受信すること、運動検出構成を用いてディスプレイ装置の運動を検出すること、運動検出構成によって検出される運動から運動タイプを識別すること、運動タイプを運動タイプ消去データとして識別するデータに応答して受信されるユーザ入力を格納すること、並びに受信すること、検出すること、識別すること、及び格納することを反復することを含み、操作フェーズの間に、ディスプレイスクリーン上に情報を表示すること、運動検出構成を用いてディスプレイ装置の運動を検出すること、並びに運動タイプを識別し、対応する消去操作を実行して、ディスプレイスクリーン上に表示される情報の少なくとも一部を消去するために、運動タイプ制御データを用いることを含む、方法も提供する。
【図面の簡単な説明】
【０００９】
【図１】ディスプレイ装置の例を図示する概略図である。
【００１０】
【図２】例示的なディスプレイ装置の代替的なディスプレイを図示する概略図である。
【００１１】
【図３】学習フェーズの例を図示するフロー図である。
【００１２】
【図４】操作フェーズの例を図示するフロー図である。
【００１３】
【図５】例示的なディスプレイ装置の電子構成要素を図示する概略図である。
【発明を実施するための形態】
【００１４】
以下の詳細な記述では、その一部を形成し、発明的な主題が実施されることがある具体的な実施形態を例示によって示す、添付の図面を参照する。これらの実施形態は、当業者がそれらを実施することを可能にするために十分に詳細に記載されており、他の実施形態が利用されてよいこと、並びに発明的な主題の範囲から逸脱することなく、構造的、論理的、及び電気的変更が行われてよいことが理解されるべきである。発明的な主題のそのような実施形態は、単に便宜のために、並びに、１つよりも多くが実際に開示されるならば、この出願の範囲を如何なる単一の発明又は発明的概念に自主的に限定することを意図することなく、本明細書では、個別に及び／又は集合的に「発明」という用語によって言及されることがある。
【００１５】
従って、以下の記述は、限定的な意味において理解されるべきではなく、発明的な主題の範囲は、添付の請求項及びそれらの均等物によって定義される。
【００１６】
以下の実施形態において、同等の構成要素は、同等の参照番号で印されている。
【００１７】
以下の実施形態において、「データ記憶装置(data  store)」又は「メモリ(memory)」という用語は、あらゆるコンピュータ可読記憶媒体及び／又はデバイス（又はデータ記憶媒体及び／又はデバイスの集合）を包含することを意図する。データ記憶装置の例は、光ディスク（例えば、ＣＤ−ＲＯＭ、ＤＶＤ−ＲＯＭなど）、磁気ディスク（例えば、ハードディスク、フロッピーディスクなど）、メモリ回路（例えば、ソリッドステートドライブ、ランダムアクセスメモリ（ＲＡＭ）など）、及び／又は同等物を含むが、これらに限定されない。
【００１８】
本明細書に記載の機能又はアルゴリズムは、１つの実施形態において、ハードウェア、ソフトウェア、又はソフトウェアとハードウェアとの組み合わせにおいて実装される。ソフトウェアは、メモリ又は他のタイプの記憶デバイスのようなコンピュータ可読キャリア媒体に格納されるコンピュータ実行可能な命令を含む。更に、記載の機能は、ソフトウェア、ハードウェア、ファームウェア、又はそれらの任意の組み合わせであることがある、モジュールに対応することがある。複数の機能が、所望に１つ又はそれよりも多くのモジュールにおいて実行され、記載の実施形態は、例であるに過ぎない。ソフトウェアは、デジタル信号プロセッサ、ＡＳＩＣ、マイクロプロセッサ、又は他のタイプのプロセッサ上で実行される。
【００１９】
幾つかの実施形態は、モジュールの間で及びモジュールを通じて通信される関連する制御及びデータ信号を用いて或いは特定用途向け集積回路の一部として、２つ又はそれよりも多くの特定の相互接続されるハードウェアモジュール又はデバイスに機能を実装する。よって、例示的なプロセスフローは、ソフトウェア、ファームウェア、及びハードウェア実装に適用可能である。
【００２０】
一般化された実施形態は、ディスプレイ装置を提供し、ディスプレイ装置は、情報を表示するディスプレイスクリーンと、ディスプレイスクリーン上での表示のための情報を格納するメモリと、ディスプレイ装置の運動を検出する運動検出構成と、ディスプレイスクリーン上の情報の表示を制御するようにプログラムされ、運動検出構成によって検出される運動に応答して、ディスプレイスクリーンを制御して、ディスプレイスクリーン上に表示される情報の少なくとも一部を消去するようにプログラムされる、プロセッサとを含み、運動検出構成は、複数の運動タイプを検出するようにプログラムされ、プロセッサは、検出される運動タイプを識別するようにプログラムされ、識別される運動タイプに依存してディスプレイスクリーン上に表示される情報を選択的に消去するようにプログラムされる。
【００２１】
本発明は、持ち運び可能な(携帯型の)ディスプレイ装置に適するが、そのようなものに限定されない。ディスプレイ装置は、往復運動、回転運動、又は震動運動において動かされることができる、あらゆるディスプレイ装置に適用可能である。そのようなディスプレイ装置は、典型的には、持ち運び可能であり、無線であるが、単に移動可能であり、ワイヤによって接続されることができる。ディスプレイ装置は、表示される情報を消去するために、ユーザによってもたらされる震動、回転、又は往復運動を可能にするように、別の装置の一部であってよく、従って、使用中に取り外し可能であってよい。ディスプレイは、剛的又は可撓であってよい。ディスプレイは、取り外し可能であってよい。１つよりも多くのディスプレイがあってよく、ディスプレイは、異なるタイプであってよく、例えば、１つは可撓であることができ、１つは剛的であることができる。
【００２２】
１つの例では、ディスプレイスクリーンに表示される情報の少なくとも一部が、閾値よりも大きい運動検出構成によって検出される震動又は往復運動に応答して消去される。これは、例えば、車、列車又は飛行機で移動中に、ディスプレイ装置の衝撃(jolt)に起因する表示情報(displayed  information)の意図しない消去を回避する。情報の消去は、消去を開始するために、より活動的な運動を必要とすることができる。
【００２３】
１つの例において、表示情報の消去は、少なくとも表示されている情報のセットについて、メモリ内で情報を消去又は削除させるので、その行為は、キーボード上の削除キーと均等である（しかしながら、情報は、消去しない操作を可能にするために、メモリ内に依然として駐留してよい）。
【００２４】
運動は複数の方向で検出されることがあり、震動又は往復運動の方向を検出して、ディスプレイスクリーン上に表示される情報を選択的に消去することができる。
【００２５】
装置は、異なる運動のパターンのような、ディスプレイ装置の運動の特定のタイプ又はディスプレイ装置の運動の特定の方向が、異なる消去操作を引き起こすことができるように、プログラムされることができ、或いは、ユーザは、そのように選択することができる。例えば、異なる消去操作は、ディスプレイ装置で実行しているアプリケーションにおけるウェブページ又は入力領域上のフレームのような、異なるスクリーン領域における消去操作に関連することができ、或いは異なる表示される情報タイプの消去に関連することができる。例えば、１つのタイプの運動又は異なる向きの運動は、表示される画像の消去、タイプされたテキストの別の消去、手書きされたテキストの別の消去、表又は表計算表(スプレッドシート)の別の消去等を引き起こすことがある。
【００２６】
ユーザが消去操作のために使用できる運動のタイプは、震動を含むことができ、或いは、ディスプレイ装置の往復運動は、例えば、直線運動、往復運動、回転運動、揺動(swaying)運動、シーソー運動、揺動(swing)運動又は揺動(rocking)運動のいずれかであることができる。「震動(shake)」の変位又は振幅、「震動」の周波数又は速度(rate)、及び／又は「震動」の速度又は活力(vigour)も、ディスプレイ装置の運動のタイプの構成要素であることができる。運動は、運動又は運動タイプの複雑な混合又は集合、例えば、震動を同時に伴う回転、又は一連の運動、例えば、振動に続く回転、又は１つの方向における回転に続く他の方向における回転を含むことができる。故に、運動のシーケンスは、同じ運動タイプ又は異なる運動タイプのシーケンスであることができる。
【００２７】
ディスプレイ装置は、検出される運動タイプに応答して実施するために、ユーザが運動タイプ及び消去操作をディスプレイ装置に教えることを可能にするようにプログラムすることができる。例えば、ディスプレイ装置は、消去オプションを、その消去操作のために使用されるべき所望の運動タイプを開始することのユーザへの要求と共に、学習又は始動フェーズにおいて表示してよい。ユーザは、プロセッサが選択された消去操作に対応する運動タイプを学習して格納するための学習プロセスを実装するために、操作を数回実行することを要求されることがある。運動タイプ及び消去操作は、個々のユーザのために学習されることができる。例えば、ユーザが自分の名前を入力するか或いはサインインして、ディスプレイ装置を使用することができ、次に、学習した運動タイプ及び消去操作は、ユーザが自分の名前を入力するか或いはサインインするときの使用のために、そのユーザのために格納される。
【００２８】
１つの例においてディスプレイ装置は、情報の表示のための入力を受信する入力構成を含むことができる。入力構成は、タッチセンサ方式(touch  sensitive)ディスプレイ及び／又はペンを含むことができる。ペンは、ユーザが手書きテキスト又は図面を入力することを可能にする。
【００２９】
１つの態様は、方法を実行するための機械のプロセッサによる実行のための非過渡的(non-transient)記憶媒体記憶コード又は方法を実行するための機械のプロセッサによる実行のためのプロセッサ実行可能なコードを担持する過渡的(transient)媒体のような、キャリア媒体を提供する。実施形態は、コンピュータコードを実装するプログラマブルデジタル論理(ロジック)で実装されることができる。コードは、キャリア媒体上のプロセッサ又はマイクロプロセッサのようなプログラマブル論理に供給されることができる。キャリア媒体の１つのそのような実施形態は、一時的媒体、すなわち、電気信号、電磁信号、音響信号、磁気信号、又は光信号のような信号である。キャリア媒体の別の形態は、ソリッドステートメモリ、磁気媒体（ハードディスクドライブ）、又は光媒体（コンパクトディスク（ＣＤ）又はデジタル多用途ディスク（ＤＶＤ））のような、コードを格納する非一時的(non-transitory)記憶媒体である。
【００３０】
ディスプレイ装置は、１つの例において、その全文を参照によって本明細書に援用する、この出願と同日に出願された「Device  Operation  Control」という名称の同時係属する英国特許出願に開示された装置と共に、その全文を参照によって本明細書に援用する、２０１７年１２月２９日に出願された同時係属する英国特許出願第１７２２２４９．８号に開示されたディスプレイ装置の例のうちのいずれかにおいてディスプレイユニットとして使用されることができる。
【００３１】
次に、図面を参照して、具体的な実施形態を記載する。
【００３２】
図１は、ディスプレイ装置を図示する概略図である。
【００３３】
ディスプレイ装置２は、情報を表示することができるディスプレイスクリーン１を含む。この例において、ディスプレイスクリーンは、３つのタイプの情報、すなわち、タイプされたテキスト１１、手書きテキスト４１、及び画像３１を表示している。情報は、ウェブブラウザ、電子メールアプリケーション、ワードプロセッサ、スプレッドシート、画像エディタなどのような、装置上で実行される任意のアプリケーションによって表示されることができる。表示される情報は、例えば、完成されるべき或いは充填されるべき領域を有する文書又は書式、例えば、標準書式レターにおける住所領域及び名前領域、又は書式中のフィールドであることができる。手書きテキストは、ペンデバイス５０を用いて入力されることができる。スクリーンディスプレイ１は、ペンデバイス５０の近接性に敏感であり、ペンデバイス５０の座標を検出して、その場所をトラッキング (追跡)することができ、故に、入力手書きテキスト４１を生成することができる。ディスプレイスクリーン１は、例えば、タッチセンサ方式オプションのディスプレイ及び／又はキーボードによって、ディスプレイ装置への情報及びコマンドの入力を可能にするように、接触に敏感である(touch  sensitive)ことができる。
【００３４】
ディスプレイ装置の下には、表示された情報を消去する方法として、ディスプレイ装置が受けることができる、運動方向が表示される。運動は、交差する矢印によって示すように、三次元内の３つの軸ｘ、ｙ及びｚに沿う３つの方向のいずれかにおける前後の線形運動又は往復運動であることができる。追加的に或いは代替的に、運動は、湾曲した矢印によって示すように、非線形であることができ、湾曲することができ、或いは回転することができる。
【００３５】
図１の例では、ディスプレイ装置の運動は、タイプされたテキスト１１、手書きテキスト４１又は画像３１のうちの１つ又はそれよりも多くのような、表示された情報又は選択的な部分の全てを消去することができる。
【００３６】
図２は、ディスプレイ装置の代替的なディスプレイスクリーン２０を図示している。この例には、３つの異なるディスプレイ領域、すなわち、表示されたテキスト１１を有するタイプされたテキスト表示領域１０と、画像３１を表示する画像表示領域３０と、ペン５０を用いて作成された手書きテキスト４１を表示する手書きテキスト表示領域４０とがある。
【００３７】
この例のディスプレイ装置の運動は、図１の交差する矢印によって示すように、３つの軸ｘ、ｙ及びｚに沿う３つの方向のいずれかにおける前後の線形運動又は往復運動であることができる。追加的に或いは代替的に、運動は、図１の湾曲した矢印によって示すように、非線形であることができ、湾曲することができ、或いは回転することができる。
【００３８】
図２の例において、ディスプレイ装置の運動は、表示領域１０、３０、及び４０のうちの１つ又はそれよりも多くにおける情報のような、表示された情報又は選択的な部分の全てを消去することができる。
【００３９】
異なるタイプの情報が、図２の異なる表示領域に表示されるように図示及び記載されているが、異なる表示領域は、同じ情報タイプ又は情報タイプの任意の組み合わせを表示することができる。また、表示領域は、情報タイプの混合を表示することができる。図２の例は、例示であるにすぎない。
【００４０】
故に、ディスプレイ装置の運動検出構成によって検出される運動タイプは、任意の次元又は方向における複数のタイプの運動パターンのうちの任意の１つを検出することができる。運動の異なるパターンの例は、前後の震動、左右の震動、上下の震動、左右の回転（側方から側方への傾斜）、上下の回転（上下の傾斜）、及び回転を含む。これらの各々は、図１に図示する３つの軸のうちの１つに沿って或いは１つについての横方向動作（震動）又は回転動作を表す。開始運動に基づいて、これらの２つの運動タイプの各々の運動タイプの２つのタイプを検出することができる。例えば、前後(back  and  forth)は、前後又は後前であってよく、側側(side  to  side)は、左から右又は右から左であってよく、回転(rotating)は、時計回り又は反時計回りであってよいなどである。
【００４１】
ディスプレイ装置のメモリは、運動検出構成によって検出されて、運動検出構成からの信号からプロセッサによって識別される各タイプの運動について、プロセッサによって実行される消去コマンドを格納することができる。これらのコマンドは、事前に定義することができ、或いはデータソースからダウンロードされることができ、或いは、それらは、ユーザ定義されることができる。
【００４２】
ディスプレイ装置は、ユーザがディスプレイ装置に、運動タイプ及び検出される運動タイプに応答して実行する消去操作を教えることを可能にするように、プログラムされることができる。例えば、ディスプレイ装置は、消去オプションを、その消去操作のために使用されるべき所望の運動タイプを開始することのユーザへの要求と共に、学習又は始動フェーズにおいて表示してよい。ユーザは、プロセッサが、選択される消去操作に対応する運動タイプを学習して格納する学習プロセスを実施するために、操作を数回実行するように要求されてよい。次に、ディスプレイ装置は、消去操作の実行のために将来的な運動検出操作において使用されるべき各消去操作のために検出された運動パターンを格納する。
【００４３】
図３は、ディスプレイ装置の学習フェーズを例示するフロー図である。
【００４４】
ステップＳ１において、ディスプレイ装置は、学習フェーズに入る。これは、ディスプレイ装置の起動時に、或いはディスプレイ装置の何らかの他の操作の結果として、自動的であることができ、或いは、それは、ユーザ選択、すなわち、ディスプレイ装置の入力構成を使用することのような、使用入力の結果としてのものであることができる。ステップＳ２において、ディスプレイ装置のディスプレイは、ユーザがユーザ入力として運動を使用して実行することを選択することができる定義制御操作のメニューを表示する。表示されるメニューは、単にリストであることができ、或いは、例えば、ドロップダウンメニューであることができる。リストは、消去操作のタイプのカテゴリ、例えば、１つの文字の消去、１つの語句の消去、テキストの消去、ディスプレイ領域又はフレーム内のテキストの全ての消去、画像の消去、表示された履歴データの消去、フレーム又はディスプレイ領域内の消去などに編成されてよい。
【００４５】
ステップＳ３において、消去操作メニュー項目のユーザ選択を受信し、次に、ステップＳ４において、ディスプレイ装置は、運動検出構成、例えば、加速度計が、ディスプレイ装置の運動を検出するのを待つ。運動は、運動パターンを取り込むのに適した短い時間期間、例えば、１〜２秒に亘って記録される。マッチング(整合)プロセスの精度を向上させ、ユーザによる運動パターンの変化を可能にするために、ステップＳ５において、プロセスは、ループを戻って(loops  back)、ユーザが運動入力を数（Ｎ）回、例えば、３〜１０回繰り返すことを要求する。より多くの反復は、マッチングプロセスの精度を向上させるが、ディスプレイ装置の有用性を低下させる。すなわち、ユーザは、パターンを余りにも多く繰り返す要求に対する耐性を失う。
【００４６】
ループバック(loop  back)処理の終了時、ステップＳ６において、反復的な記録についての記録された運動パターンが平均化され、平均は、ステップＳ７において、格納された運動タイプ消去データ中に運動タイプに関する情報の一部として格納するために使用される。記録された運動パターンの間の偏差の程度を示すデータが、操作フェーズ中のマッチングプロセスを支援するために、すなわち、一致(match)が格納された平均運動パターンの予想される偏差内にあるかどうかを評価することを支援するために、運動タイプデータの一部として格納されることもできる。対応する消去操作を識別する識別子も、格納される運動タイプ消去データの一部として格納される。
【００４７】
次に、プロセスは、ステップＳ２に戻り、ユーザがメニューから別の消去操作を選択することを可能にする。ユーザが消去操作の選択を終了するならば、ユーザは学習フェーズを終了することを選択することができる。
【００４８】
図４は、学習フェーズに続くディスプレイ装置の操作フェーズを例示するフロー図である。
【００４９】
ステップＳ１０において、ディスプレイデバイスは、操作フェーズに入り、ステップＳ１１において、情報がディスプレイスクリーンに表示される。情報は、図１及び図２に示すように、フレーム又はウィンドウのような、異なる領域に表示されることができる。表示される情報は、異なる情報タイプ、例えば、テキスト又は画像であることもできる。ディスプレイ装置の操作は、ステップＳ１２において検出される。運動のパターンは、ステップＳ１３において、運動タイプ消去データ中の運動タイプについて格納されたパターンと比較され、運動が運動タイプと一致するかどうかを決定する。一致が見出されないならば（ステップＳ１４）、プロセスは、ステップＳ１２に戻って、更なる運動を検出する。一致タイプについて運動データとの一致がステップＳ１４において見出されるならば、ステップＳ１５において、対応する消去操作が運動タイプ消去データ中で識別され、ステップＳ１６において、消去操作が実行される。一致させられた消去操作は、領域のうちの１つの領域内の情報を消去する操作又はテキスト又は画像のような情報タイプを消去する操作であってよい。次に、プロセスは、ステップＳ１２に戻り、更なる制御操作のためのデバイスの次の運動を検出する。
【００５０】
図４では、多数の記録された運動操作についての運動データの平均が取られる。しかしながら、本発明は、平均を取ることに限定されず、１つだけの運動検出が用いられてよく、或いは数字が記録されてよく、それらは操作フェーズ中の運動パターンとの個々のマッチングのために個別に格納されることができる。
【００５１】
図４において、ユーザは消去操作を選択するメニューを提示されて、ディスプレイ装置にその消去操作のための運動タイプを教える。ユーザは、ユーザ入力構成を使用して、ユーザ自身の消去操作を定義することもできる。更に、ディスプレイ装置は、自動的に、例えば、起動時に、学習フェーズに入って、一連の制御操作のための一連の運動タイプを入力することをユーザに要求してよい。運動タイプと消去操作は、個々のユーザのために学習されることができる。例えば、ユーザは自分の名前を入力するか或いはサインインしてディスプレイ装置を使用し、次に、学習運動タイプ及び消去操作は、ユーザが自分の名前を入力するか或いはサインインするときの使用のためにそのユーザのために格納される。
【００５２】
図５は、例示的なディスプレイ装置の電子構成要素を図示する概略図である。
【００５３】
プロセッサ１００は、不揮発性の方法における表示のためのデータ及び情報の格納のために、オペレーティングシステムコードのようなプロセッサ１００によって使用されるコードを格納する静的又は不揮発性メモリ１０２に接続される。揮発性メモリ１０３が、プロセッサ１００による実施のためのアプリケーションコード並びに表示及び消去制御のためのデータ及び情報の格納のために提供される。揮発性メモリは、運動センサ１０４によって検出される運動パターンを識別するためのコード、及び表示される情報を消去することに応答してディスプレイスクリーン１０５を制御するためのコード（例えば、コードモジュール）を格納することができる。
【００５４】
ディスプレイスクリーン１０５は、情報の表示のためにプロセッサ１００に接続される。ディスプレイスクリーン１０５は、入力構成を提供するタッチセンサ方式ディスプレイを含むことができる。（図１に示す）ペン５０をディスプレイスクリーン１０５と共に使用して、フリーハンドテキスト又は図面の入力を可能にすることができる。任意的に、カメラ１０６をプロセッサ１００に接続して、画像を取り込むこともできる。カメラ１０６は、カメラ１０６によって取り込まれる画像上にプロセッサによって実施されるジェスチャ認識を使用して、情報及びコマンドの入力のための入力構成として使用されることもできる。
【００５５】
ネットワークコネクタ１０１は、通信又はコンピュータネットワークと通信するためにプロセッサ１００に接続される。この通信リンクは、ネットワークを通じて、ディスプレイ装置と他のディスプレイ装置又はコンピュータとの間で、データ、情報、及び制御を通すことができる。ネットワークコネクタ１０１は、有線又は無線接続を使用して通信又はコンピュータネットワークに接続されることができる。例えば、有線接続は、ネットワークコネクタ１０１がモデム又はルータとしての機能を果たすように、ＬＡＮ又は電話接続へのイーサネット接続であってよい。無線接続は、ＷＩＦＩ、ＷｉＭＡＸ、ＣＤＭＡ、ＧＳＭ、ＧＰＲＳ、無線ローカルループ又はＷＡＮであってよい。低範囲及び低電力の無線通信、Ｂｌｕｅｔｏｏｔｈ（ＴＭ）が使用されてよい。
【００５６】
ディスプレイ装置の運動を検出するために、運動センサ１０４がプロセッサ１００に接続される。運動センサ１０４は、加速度計のような、任意の従来的な運動センサを含むことができる。運動センサ１０４は、任意の方向におけるディスプレイ装置の運動を検出することができる。すなわち、それは三次元内の３つの直交する軸のいずれかに沿う運動を検出する多軸運動センサである。
【００５７】
上記の例のいずれにおいても、ディスプレイ装置は、両方の側にディスプレイスクリーンを有してよいので、それは両側にある情報を見るために裏返されることができる。消去操作は、両側に又は片側にのみ適用することができる。これは、１つの例において、選択的に設定されることができる。ディスプレイ又は複数のディスプレイをマウントフレームから取り外すこともできる。
【００５８】
１つ又はそれよりも多くの実施形態において、ディスプレイ装置は、ディスプレイスクリーンをマウントと別個に使用することができるように、ディスプレイスクリーンを取り外し可能な又は取り外し不能な方法で取り付けるドッキング部品又はマウントを含むことができる。マウント及びディスプレイスクリーンは、無線リンクを使用して互いの間で通信することができるので、マウントは、プロセッサ及び記憶装置のようなディスプレイ装置の幾つかの構成要素を含むことができる一方で、ディスプレイスクリーンは、ディスプレイスクリーンを作動させ、ディスプレイスクリーンの運動を検出し、プロセッサと通信するのに必要な構成要素のみを含むことができる。１つの実施形態において、１つよりも多くのディスプレイスクリーンは、マウントから取り外し可能に設けられることができ、各ディスプレイスクリーンは、マウント内の共用プロセッサを使用する運動検出によって消去操作を提供するよう独立して作動する。
【００５９】
ディスプレイ装置は、オーディオ出力のための１つ又はそれよりも多くのラウドスピーカと、オーディオ入力のための１つ又はそれよりも多くのマイクロホンとを含むことができる。また、ディスプレイ装置は、有線又は無線接続によってキーボード及び／又はポインティングデバイスのような周辺デバイスに接続して、ディスプレイ装置への情報及びコマンドの入力を可能にすることができる。
【００６０】
上記の例のいずれにおいても、ディスプレイ装置は、ユーザが運動検出制御入力方法に関連して制御及び情報を入力することを可能にするために、キーボード、ポインタデバイス（例えば、マウス）、又はタッチスクリーンのような、他の入力構成を含むことができる。入力構成は、ディスプレイ装置の運動消去能力、例えば、キーボード削除、テキストの選択、及び表示された削除操作などを補完するために、従来的な消去操作を行うために使用されることもできる。また、画像取込みが制御又は情報入力の方法としてのジェスチャ入力を可能にするために、カメラが提供されることもできる。
【００６１】
実施形態では、運動制御入力に加えて又は代えて、識別されるジェスチャのタイプに依存してユーザがジェスチャを使用してディスプレイスクリーン上に表示される情報の消去を制御することができるよう、ユーザに面する方向においてビデオを取り込むために、カメラを装置内に設けることができる。ジェスチャ制御は、ユーザの身体部分、すなわち、手、顔の特徴、又は全体的な身体位置の動きの認識、又はスティック、定規、又はユーザが着用する何らかのもののような、ユーザによって動かされる物体の認識を含むことができる。パターン認識技法を用いて、ジェスチャのタイプを認識し、それらを識別することができる。例示的なジェスチャタイプは、左又は右への手の掃引(sweeping)、上又は下への手の掃引、手の振り(waving)を含むことができる。
【００６２】
ジェスチャ制御が運動制御と共に提供される場合、ジェスチャ制御消去操作は、例えば、ユーザがディスプレイ装置を取ることができない場合、例えば、ユーザが濡れた手又は汚れた手を有する場合に使用されることができる。更に、ディスプレイスクリーンは、検出されるジェスチャタイプに応答し、そして、同じ消去操作を制御する同等の又は関連する運動タイプを識別し、そして、ディスプレイスクリーンを制御して、ディスプレイスクリーンに運動等価コマンドをジェスチャコマンドに模倣させる、ように制御されることができる。例えば、ディスプレイ領域内のテキストを消去する運動コマンドが左から右への回転であるならば、均等な又は関連するジェスチャコマンド、例えば、手を左から右に振ることが識別されるときに、ディスプレイスクリーンは、ジェスチャコマンドが運動コマンドとして認識されたことのユーザへの確認としての機能を果たすように、ディスプレイを左から右に回転させることができる。
【００６３】
１つの態様において、本発明は、運動制御の代わりにジェスチャ制御を提供する。この態様において、ディスプレイ装置は、情報を表示するディスプレイスクリーンと、ディスプレイスクリーン上での表示のために情報を格納するメモリと、ジェスチャを検出するジェスチャ検出構成（例えば、カメラ及び認識ソフトウェア）と、ディスプレイスクリーン上の情報の表示を制御し、ジェスチャ検出構成によって検出されるジェスチャに応答して、ディスプレイスクリーンを制御してディスプレイスクリーン上に表示される情報の少なくとも一部を消去するようにプログラムされるプロセッサとを含むことができ、ジェスチャ検出構成は、複数のジェスチャタイプを感知するように構成され、プロセッサは、感知されるジェスチャタイプを識別し、識別されるジェスチャタイプに依存してディスプレイスクリーン上に表示される情報を選択的に消去するようにプログラムされる。故に、この態様において、ジェスチャ認識は、運動検出と同じような方法で作動し、故に、上述の運動検出例において、運動は、この態様では、ジェスチャと置換されることができる。
【００６４】
この態様において、ディスプレイ装置は、移動式(モバイル)であることができ、固定される／取り付けられることができる。識別されるジェスチャのタイプに依存してユーザがジェスチャを使用してディスプレイスクリーン上に表示される情報の消去を制御することができるよう、ユーザに面する方向においてビデオを取り込むために、カメラを装置内に設けることができる。ジェスチャ制御は、ユーザの身体部分、すなわち、手、顔の特徴又は全体的な身体位置の動作の認識を含むことができる。パターン認識技法を用いてジェスチャのタイプを認識し、それらを識別することができる。ジェスチャタイプの例は、左又は右への手の掃引、上又は下への手の掃引、手の振れを含むことができる。
【００６５】
本発明の主題の性質を説明するために記載し且つ図示した部品及び方法の段階の詳細、材料、及び構成における様々な他の変更が、添付の請求項に示す発明的な主題の原理及び範囲から逸脱することなく行われてよいことが、当業者に容易に理解されるであろう。
【図１】
2021519975.tif 000003
【図２】
2021519975.tif 000004
【図３】
2021519975.tif 000005
【図４】
2021519975.tif 000006
【図５】
2021519975.tif 000007
【国際調査報告】
2021519975.tif 000008
2021519975.tif 000009
2021519975.tif 000010
2021519975.tif 000011
2021519975.tif 000012